(57)【要約】【課題】  ランプを劣化させることなくランプを確実に再点灯することができるプロジェクタのランプの点灯方法、および、当該ランプの点灯方法を用いたプロジェクタを提供すること。【解決手段】  制御部８は、ランプ１を点灯させるためのトリガとなる操作受付け部１０からの電源オンの操作信号を受け取ると、温度測定部１１により第１の温度Ｔ１を測定し、所定の時間が経過した後に、さらに第２の温度Ｔ２を測定し、第１の温度Ｔ１および第２の温度Ｔ２を用いてランプ近傍の温度変化を捕らえることができる所定の時間における温度変化を把握するための演算を行い、算出された温度変化量が、ランプ１を劣化させることなく点灯させることが可能な温度と比べて高いか低いかを、ランプ温度と相対関係を持つランプ近傍の温度の変化状況から判別するための指標としての所定の温度量以下であった場合、ランプ駆動部１５へランプ１を点灯させるための点灯コマンドを発する。【選択図】      図１
2006235441.tif 000002
【特許請求の範囲】
【請求項１】
映像を投写するプロジェクタであって、
投写映像の光源としてのランプと、
前記ランプ近傍の温度を検出する温度センサと、
前記ランプを点灯させるための操作を受付ける操作受付け部と、
前記ランプを点灯させるための指示を発する制御部と、を備え、
前記制御部は、前記操作受付け部がランプを点灯させるための操作を受付けると、前記温度センサにより前記ランプ近傍の温度を第１の温度として測定させ、前記ランプ近傍の温度変化を捕らえることができる所定の時間が経過した後に、前記ランプ近傍の温度を第２の温度として再度測定させ、前記第１の温度および第２の温度を用いて、前記所定の時間における温度変化量を求めるための演算を行い、算出された温度変化量が、所定の温度量以下であった場合、前記ランプを点灯させるための指示を発することを特徴とするプロジェクタ。
【請求項２】
前記制御部は、前記算出された温度変化量が、前記所定の温度量を超えていた場合、前記ランプを冷却するための冷却時間が経過した後に、前記ランプを点灯させるための指示を発することを特徴とする請求項１に記載のプロジェクタ。
【請求項３】
さらに前記制御部は、前記測定した第１の温度が、所定の安全点灯温度以下であった場合、前記第２の温度を測定せずに、前記ランプを点灯させるための指示を発することを特徴とする請求項１または２に記載のプロジェクタ。
【請求項４】
前記第１の温度および第２の温度を用いて、前記所定の時間における温度変化量を把握するための演算は、前記第２の温度から前記第１の温度を減算することにより行われることを特徴とする請求項１〜３のいずれか１項に記載のプロジェクタ。
【請求項５】
さらに、ファンにより空気の流れを発生させてランプを冷却するファン駆動部を備え、
前記制御部は、前記冷却時間においてファン駆動部にファンを駆動させる指示を発することを特徴とする請求項１〜４のいずれか１項に記載のプロジェクタ。
【請求項６】
投写映像の光源としてのランプと、前記ランプ近傍の温度を検出する温度センサと、前記ランプを点灯させるための操作を受付ける操作受付け部と、を備えるプロジェクタのランプの点灯方法であって、
前記操作受付け部がランプを点灯させるための操作を受付けると、前記温度センサが前記ランプ近傍の温度を第１の温度として測定する工程と、
前記ランプ近傍の温度変化を捕らえることができる所定の時間が経過した後に、前記温度センサが前記ランプ近傍の温度を第２の温度として測定する工程と、
前記第１の温度および第２の温度を用いて前記所定の時間における温度変化量を求めるための演算を行う工程と、
前記算出された温度変化量が、所定の温度量以下であった場合、前記ランプを点灯させるための指示を発する工程と、を含むことを特徴とするプロジェクタのランプの点灯方法。
【請求項７】
映像を投写するプロジェクタであって、
投写映像の光源としてのランプと、
前記ランプ近傍の温度を検出する温度センサと、
前記ランプを点灯させるための操作を受付ける操作受付け部と、
前記ランプを点灯させるための指示を発する制御部と、を備え、
前記制御部は、前記操作受付け部がランプを点灯させるための操作を受付けると、前記温度センサにより前記ランプ近傍の温度を第１の温度として測定させ、前記第１の温度が、所定の点灯可能温度以上であった場合、前記ランプを点灯させるための指示を発することを特徴とするプロジェクタ。
【請求項８】
前記第１の温度が、前記記憶部の点灯可能温度より低かった場合、前記制御部は、前記ランプ近傍の温度変化を捕らえることができる所定の時間が経過した後に、前記温度センサにより前記ランプ近傍の温度を第２の温度として測定させ、
前記第２の温度が、前記第１の温度より低いときに、前記ランプを点灯させるための指示を発することを特徴とする請求項７に記載のプロジェクタ。
【請求項９】
前記制御部は、前記第２の温度が、前記第１の温度以上であった場合、前記ランプを冷却するための冷却時間が経過した後に、前記ランプを点灯させるための指示を発することを特徴とする請求項７または８に記載のプロジェクタ。
【請求項１０】
さらに制御部は、前記測定した第１の温度が、所定の安全点灯温度以下であった場合、前記第２の温度を測定せずに、前記ランプを点灯させるための指示を発することを特徴とする請求項７〜９のいずれか１項に記載のプロジェクタ。
【請求項１１】
さらに、ファンにより空気の流れを発生させてランプを冷却するファン駆動部を備え、
前記制御部は、前記冷却時間においてファン駆動部にファンを駆動させる指示を発することを特徴とする請求項７〜１０のいずれか１項に記載のプロジェクタ。
【発明の詳細な説明】
【技術分野】
【０００１】
本発明は、プロジェクタが投写する映像の光源としてのランプの点灯方法、および当該ランプの点灯方法を用いたプロジェクタに関する。
【背景技術】
【０００２】
プロジェクタの光源には、高圧水銀ランプや、メタルハライドランプなどの高輝度が得られる放電式のランプが多用されている。
これらの放電式ランプは、ランプに封入されている水銀や金属ハロゲン化合物などの発光媒体を気化し、気体となった発光媒体に電子が衝突することにより発光する。発光媒体を気化するために高周波高電圧が印加されることから、ランプが点灯しているときのランプの温度および内圧は、約１０００℃かつ１０〜４０気圧という高温高圧状態となっている。
このため、ランプを消灯した後も、ランプの高温高圧の状態は所定の時間継続する。消灯したランプが高温高圧となっている間は、高周波高電圧を加えても電子が飛びにくいため、ランプを再点灯させることは困難であった。さらに、ランプが十分に冷める前に、点灯動作により高周波高電圧を加えると、ランプの電極の劣化を促すこととなり、ランプの寿命が短くなってしまう恐れがあった。
【０００３】
このような放電式ランプの特性を考慮し、ランプの劣化を防ぐための技術が知られている。例えば、特許文献１のプロジェクタは、ファンにより空気の流れを発生させて、ランプの冷却を行う。
【０００４】
また、特許文献２のプロジェクタは、ランプを点灯させるための操作をトリガとして、冷却用のファンを作動させ、続いてランプ周辺の温度を検出し、ランプ周辺の温度が、規定値以上である場合、ランプの点灯を待機させる。規定値とは、ランプを点灯できない温度であるとの記載がある。これは、ランプの温度が、ランプの再点灯に適さない高温の状態になっていることを指しているものと推測される。
【０００５】
【特許文献１】特開平１１−２３１４１９号公報
【特許文献２】特開２００３−５２８７号公報
【発明の開示】
【発明が解決しようとする課題】
【０００６】
しかしながら、特許文献２のプロジェクタでは、ランプの温度を、ランプ周辺の温度により検出しているが、ランプ自体の温度と、その周辺部の温度とは異なるものであった。
ランプが消灯し、空気の流れによりランプ周辺部を冷却するファンなどの冷却装置も一緒に停止した場合、ランプ自体の温度は徐々に下がってゆくものの、ランプ近傍の温度は、プロジェクタ内部の空気の流れが滞留することから、一時的に上昇すること（以降「キックバック」という）がある。このため、ランプ周辺の温度が、直接的にランプ温度を示しているとは言えず、ランプ周辺の温度からランプ温度を推測するためには、ランプ温度と、ランプ周辺の温度特性との相関関係を考慮する必要があった。
さらに、特許文献２のプロジェクタでは、起動すると、温度検出する前に、ファンを駆動しているため、ランプ周辺部の空気が攪拌されてしまうことから、ランプの正確な温度を検出することは困難であった。
このように、従来のプロジェクタでは、ランプの温度状況を正確に把握できないため、ランプを確実に再点灯させることが難しかった。よって、ランプの温度が高いにも係らず、点灯動作が行われる可能性もあることから、ランプの劣化を防ぐことは困難であった。
【０００７】
上記課題を解決するために、本発明では、ランプを劣化させることなくランプを確実に再点灯することができるプロジェクタのランプの点灯方法、および、当該ランプの点灯方法を用いたプロジェクタを提供することを目的とする。
【課題を解決するための手段】
【０００８】
前記目的を達成するために、本発明に係るプロジェクタは、映像を投写するプロジェクタであって、投写映像の光源としてのランプと、ランプ近傍の温度を検出する温度センサと、ランプを点灯させるための操作を受付ける操作受付け部と、ランプを点灯させるための指示を発する制御部と、を備え、制御部は、操作受付け部がランプを点灯させるための操作を受付けると、温度センサによりランプ近傍の温度を第１の温度として測定させ、ランプ近傍の温度変化を捕らえることができる所定の時間が経過した後に、ランプ近傍の温度を第２の温度として再度測定させ、第１の温度および第２の温度を用いて、所定の時間における温度変化量を求めるための演算を行い、算出された温度変化量が、所定の温度量以下であった場合、ランプを点灯させるための指示を発することを特徴とする。
【０００９】
この構成によれば、制御部は、ランプを点灯させるための操作を受付けると、第１の温度を測定させ、ランプ近傍の温度変化を捕らえることができる所定の時間が経過した後に、第２の温度を測定させ、第１の温度および第２の温度を用いて所定の時間における温度変化量を求めるための演算を行い、算出された温度変化量が、所定の温度量以下であった場合、ランプを点灯させるための指示を発することから、プロジェクタは、ランプの消灯後の時間経過に伴い推移するランプ温度が、ランプを劣化させることなく点灯させることが可能な温度以下であることを、ランプ温度と相対関係を持つランプ近傍の温度の変化状況から判別し、ランプを点灯させる。
さらに、電源オン操作時の一点のみにおける測定によりランプの温度を把握していた従来のプロジェクタと異なり、本発明のプロジェクタは、ランプ温度とランプ近傍の温度との相対関係を踏まえて、測定時間の異なる二点の温度を基に、ランプの温度状況を的確に把握する。
よって、不正確なランプ近傍の温度把握により、実際はランプ温度が高いにも係らず、ランプの劣化を招く点灯動作を行ってしまうことはない。
従って、ランプを劣化させることなくランプを確実に再点灯することができるプロジェクタを提供することができる。
【００１０】
本発明に係るプロジェクタによれば、制御部は、算出された温度変化量が、所定の温度量を超えていた場合、ランプを冷却するための冷却時間が経過した後に、ランプを点灯させるための指示を発することが好ましい。
【００１１】
この構成によれば、制御部は、算出された温度変化量が、所定の温度量を超えていた場合、ランプを冷却するための冷却時間が経過した後に、ランプを点灯させるための指示を発することから、プロジェクタは、ランプ温度が、ランプを劣化させることなく点灯させることが可能な温度より高いと判断すると、ランプを冷却してからランプの点灯指示を出す。
よって、ランプの温度が高い状態で、ランプの劣化を招く点灯動作を行ってしまうことはない。
従って、ランプを劣化させることなくランプを確実に再点灯することができるプロジェクタを提供することができる。
【００１２】
本発明に係るプロジェクタによれば、さらに制御部は、測定した第１の温度が、所定の安全点灯温度以下であった場合、第２の温度を測定せずに、ランプを点灯させるための指示を発することが好ましい。
【００１３】
この構成によれば、制御部は、測定した第１の温度が、所定の安全点灯温度以下であった場合、第２の温度を測定せずに、ランプを点灯させるための指示を発することから、プロジェクタは、ランプが冷めており、支障なく点灯できる温度であると確認されると、速やかにランプの点灯指示を発する。
従って、ランプを速やか、かつ、確実に再点灯することができるプロジェクタを提供することができる。
【００１４】
本発明に係るプロジェクタによれば、第１の温度および第２の温度を用いて、所定の時間における温度変化量を把握するための演算は、第２の温度から第１の温度を減算することにより行われることが好ましい。
【００１５】
この構成によれば、第１の温度および第２の温度を用いて、所定の時間における温度変化量を把握するための演算は、第２の温度から第１の温度を減算することにより行われることから、プロジェクタは、第２の温度から第１の温度を減算するという簡便な方法により、ランプ温度と相対関係を持つランプ近傍の温度の変化状況を示す温度変化量を求めることができる。
よって、簡便な方法により、ランプの温度状況を正確に把握することができる。
【００１６】
本発明に係るプロジェクタによれば、さらに、ファンにより空気の流れを発生させてランプを冷却するファン駆動部を備え、制御部は、冷却時間においてファン駆動部にファンを駆動させる指示を発することが好ましい。
【００１７】
この構成によれば、制御部は、冷却時間においてファン駆動部にファンを駆動させる指示を発することから、ファンは、冷却時間中に作動する。
よって、ファンが起こす空気の流れによりランプを効率良く冷却することから、ランプの温度が高い状態で、ランプの劣化を招く点灯動作を行ってしまうことはない。
従って、ランプを劣化させることなくランプを素早く再点灯することができるプロジェクタを提供することができる。
【００１８】
本発明に係るプロジェクタのランプの点灯方法によれば、投写映像の光源としてのランプと、ランプ近傍の温度を検出する温度センサと、ランプを点灯させるための操作を受付ける操作受付け部と、を備えるプロジェクタのランプの点灯方法であって、操作受付け部がランプを点灯させるための操作を受付けると、温度センサがランプ近傍の温度を第１の温度として測定する工程と、ランプ近傍の温度変化を捕らえることができる所定の時間が経過した後に、温度センサがランプ近傍の温度を第２の温度として測定する工程と、第１の温度および第２の温度を用いて所定の時間における温度変化量を求めるための演算を行う工程と、算出された温度変化量が、所定の温度量以下であった場合、ランプを点灯させるための指示を発する工程と、を含むことを特徴とする。
【００１９】
本発明に係るプロジェクタのランプの点灯方法は、操作受付け部がランプを点灯させるための操作を受付けると、温度センサによりランプ近傍の温度を第１の温度として測定する工程と、ランプ近傍の温度変化を捕らえることができる所定の時間が経過した後に、ランプ近傍の温度を第２の温度として測定する工程と、第１の温度および第２の温度を用いて所定の時間における温度変化量を求めるための演算を行う工程と、算出された温度変化量が、所定の温度量以下であった場合、ランプを点灯させるための指示を発する工程と、を含むことから、本発明のプロジェクタのランプの点灯方法によれば、測定時間の異なる二点の温度を基に、ランプの温度状況を的確に把握することができる。
よって、不正確なランプ近傍の温度把握により、実際は温度が上昇しているにも係らず、ランプの劣化を招く点灯動作を行ってしまうことはない。
従って、ランプを劣化させることなくランプを確実に再点灯することができるプロジェクタのランプの点灯方法を提供することができる。
【００２０】
本発明に係るプロジェクタは、映像を投写するプロジェクタであって、投写映像の光源としてのランプと、ランプ近傍の温度を検出する温度センサと、ランプを点灯させるための操作を受付ける操作受付け部と、ランプを点灯させるための指示を発する制御部と、を備え、制御部は、操作受付け部がランプを点灯させるための操作を受付けると、温度センサによりランプ近傍の温度を第１の温度として測定させ、第１の温度が、所定の点灯可能温度以上であった場合、ランプを点灯させるための指示を発することを特徴とする。
【００２１】
この構成によれば、制御部は、操作受付け部がランプを点灯させるための操作を受付けると、温度センサによりランプ近傍の温度を第１の温度として測定させ、第１の温度が、所定の点灯可能温度以上であった場合、ランプを点灯させるための指示を発することから、プロジェクタは、ランプ温度と相関関係があるランプ近傍の温度における点灯可能温を確認することにより、ランプ温度がランプを劣化させることなく点灯させることが可能な温度となっていることを判別して、ランプを点灯する。
従って、ランプを劣化させることなくランプを確実に再点灯することができるプロジェクタを提供することができる。
【００２２】
本発明に係るプロジェクタによれば、制御部は、第１の温度が、記憶部の点灯可能温度より低かった場合、ランプ近傍の温度変化を捕らえることができる所定の時間が経過した後に、温度センサによりランプ近傍の温度を第２の温度として測定させ、第２の温度が、第１の温度より低いときに、ランプを点灯させるための指示を発することが好ましい。
【００２３】
この構成によれば、制御部は、第１の温度が、記憶部の点灯可能温度より低かった場合、ランプ近傍の温度変化を捕らえることができる所定の時間が経過した後に、温度センサによりランプ近傍の温度を第２の温度として測定させ、第２の温度が、第１の温度より低いときに、ランプを点灯させるための指示を発することから、プロジェクタは、ランプ温度と相関関係があるランプ近傍の温度における温度変化状況を確認することにより、ランプ温度がランプを劣化させることなく点灯させることが可能な温度となっていることを判別して、ランプを点灯する。
さらに、電源オン操作時の一点のみにおける測定によりランプ近傍の温度を把握していた従来のプロジェクタと異なり、本発明のプロジェクタは、ランプ温度とランプ近傍の温度との相対関係を踏まえて、測定時間の異なる二点の温度を基に、ランプの温度状況を的確に把握する。
よって、不正確なランプ近傍の温度把握により、実際はランプ温度が高いにも係らず、ランプの劣化を招く点灯動作を行ってしまうことはない。
【００２４】
本発明に係るプロジェクタによれば、制御部は、第２の温度が、第１の温度以上であった場合、ランプを冷却するための冷却時間が経過した後に、ランプを点灯させるための指示を発することが好ましい。
【００２５】
この構成によれば、制御部は、第２の温度が、第１の温度以上であった場合、ランプを冷却するための冷却時間が経過した後に、ランプを点灯させるための指示を発することから、プロジェクタは、ランプ温度が、ランプを劣化させることなく点灯させることが可能な温度より高いと判断すると、ランプを冷却してからランプの点灯指示を出す。
よって、ランプの温度が高い状態で、ランプの劣化を招く点灯動作を行ってしまうことはない。
従って、ランプを劣化させることなくランプを確実に再点灯することができるプロジェクタを提供することができる。
【００２６】
本発明に係るプロジェクタによれば、さらに制御部は、測定した第１の温度が、所定の安全点灯温度以下であった場合、第２の温度を測定せずに、ランプを点灯させるための指示を発することが好ましい。
【００２７】
この構成によれば、制御部は、測定した第１の温度が、所定の安全点灯温度以下であった場合、第２の温度を測定せずに、ランプを点灯させるための指示を発することから、プロジェクタは、ランプが冷めており、支障なく点灯できる温度であると確認されると、速やかにランプの点灯指示を発する。
従って、ランプを速やか、かつ、確実に再点灯することができるプロジェクタを提供することができる。
【００２８】
本発明に係るプロジェクタによれば、さらに、ファンにより空気の流れを発生させてランプを冷却するファン駆動部を備え、制御部は、冷却時間においてファン駆動部にファンを駆動させる指示を発することが好ましい。
【００２９】
この構成によれば、制御部は、冷却時間においてファン駆動部にファンを駆動させる指示を発することから、ファンは、冷却時間中に作動する。
よって、ファンが起こす空気の流れによりランプを効率良く冷却することから、ランプの温度が高い状態で、ランプの劣化を招く点灯動作を行ってしまうことはない。
従って、ランプを劣化させることなくランプを素早く再点灯することができるプロジェクタを提供することができる。
【発明を実施するための最良の形態】
【００３０】
以下、添付図面に基づいて、本発明の実施形態を詳細に説明する。
【００３１】
（実施形態１）
《プロジェクタの概要》
図１は、本発明の一実施形態におけるプロジェクタの概要を示す概略構成図である。図２は、プロジェクタのランプおよび光学部近傍の概略構造を示した図である。ここでは、図１および図２を用いて、プロジェクタ１００の概略構成について説明する。
プロジェクタ１００は、光源としてのランプ１が放射した光を、赤色光、青色光、緑色光の光の３原色成分に分離し、各色光毎に光学部２に含まれる光変調素子である各色光用の液晶ライトバルブ３Ｒ，３Ｇ，３Ｂにより、ＰＣなどの映像信号供給装置３０からの映像信号に応じて変調し、再度合成してスクリーンＳＣに投写する、いわゆる「液晶３板式プロジェクタ」である。
プロジェクタ１００は、プロジェクタ１００の本体上面に設けられたプロジェクタ１００を操作するための複数の操作用ボタンを備えた操作部４か、操作部４と同様な複数の操作用ボタンを備えたリモコン５により操作される。
【００３２】
プロジェクタ１００は、ランプ１、光学部２、操作部４、リモコン５、映像信号処理部６、液晶パネル駆動部７、制御部８、記憶部９、操作受付け部１０、温度測定部１１、ファン駆動部１３、ランプ駆動部１５、電源部１６、ＬＥＤ点灯部１７などから構成されている。
ランプ１は、プロジェクタ１００が投写する映像の光源であり、高圧水銀ランプや、メタルハライドランプなどの高輝度が得られる放電式のランプである。
【００３３】
光学部２は、インテグレータ光学系２１と、分離光学系２２と、合成光学系２３と、液晶ライトバルブ３Ｒ，３Ｇ，３Ｂとを含んで構成されている。
インテグレータ光学系２１は、ランプ１が放射する白色光を輝度値分布の安定した略平行光な白色光Ｗに変換する。
分離光学系２２は、白色光Ｗを光の３原色である赤色光Ｒ、緑色光Ｇ、青色光Ｂに分離して各色光用の液晶ライトバルブ３Ｒ，３Ｇ，３Ｂに供給する。
合成光学系２３は、クロスダイクロイックプリズムであり、ダイクロイック膜２４と、ダイクロイック膜２５と、を備えている。
【００３４】
液晶ライトバルブ３Ｒ，３Ｇ，３Ｂから射出された各色の変調光は、青色光Ｂを反射し緑色光Ｇを透過するダイクロイック膜２４と、赤色光Ｒを反射し緑色光Ｇを透過するダイクロイック膜２５と、により合成され、映像信号に応じて変調されたフルカラーで略平行光の変調光として射出される。
射出された変調光は、投写レンズ２６により拡大され、投写光ＬとしてスクリーンＳＣに投写映像を映し出す。
【００３５】
映像信号処理部６は、映像信号コンバータ（図示せず）を含んで構成されている。映像信号コンバータは、映像信号供給装置３０から供給されるアナログ映像信号Ｖinに後述する様々な映像信号処理を施すことができるように、映像信号Ｖinをアナログ信号からデジタル信号に変換するＡ／Ｄ変換処理などを施す。
映像信号処理部６は、デジタル信号に変換された映像信号を、液晶ライトバルブ３Ｒ，３Ｇ，３Ｂで表示するのに適した信号とするために、映像データを映像メモリ（いずれも図示せず）に書き込み、所定の条件で読み出すなどの映像信号処理を施した後、再度アナログ映像信号に変換して映像信号Voutとして出力する。映像信号処理には、映像信号にて表される映像を拡大および縮小することにより液晶ライトバルブ３Ｒ，３Ｇ，３Ｂの持つ解像度に合わせるスケーリング処理や、映像信号の有する階調値を液晶ライトバルブ３Ｒ，３Ｇ，３Ｂで表示するのに適した階調値に変換するγ補正処理などが含まれている。
【００３６】
液晶パネル駆動部７は、液晶ライトバルブ３Ｒ，３Ｇ，３Ｂに映像信号Voutと、駆動電圧などを供給し、液晶ライトバルブ３Ｒ，３Ｇ，３Ｂに映像を写し出す。
制御部８は、ＣＰＵ（Central Processing Unit）であり、バスラインＢusを介して、各部との信号のやり取りを行う。また、制御部８は、カウンタなどから構成される計時部を内蔵しており、計時が可能である。
記憶部９は、例えば、フラッシュメモリなどデータの書き換えが可能な不揮発性のメモリにより構成されている。記憶部９には、例えば、プロジェクタ１００を起動させるときの処理の順序と内容を指示する起動プログラムなど、プロジェクタ１００の動作を指示および制御するための様々なプログラムおよび付随するデータが記憶されている。
起動プログラムには、ランプ１が点灯可能な状態になっているか確認してからランプ１を点灯させる複数のランプ点灯処理プログラムが含まれている。付随するデータには、ランプ点灯処理プログラムで用いられる、安全点灯温度、点灯可能温度、所定の時間、所定の温度量などの、温度および時間に関するデータが含まれている。
【００３７】
操作受付け部１０は、リモコン５などの操作部への操作がなされると、操作を受付け、制御部８へ各種動作のトリガとなる操作信号を送る。
温度測定部１１は、温度センサ１２を有し、温度センサ１２からの温度検出信号をＡ／Ｄ変換して、変換した温度データを制御部８に送る温度測定回路である。
温度測定部１１は、制御部８からの温度測定コマンドに従い、温度センサ１２により温度を測定する。温度センサ１２は、例えばサーミスタであり、ランプ１が発する熱や、光学部２内部の熱を空気の流れにより逃がすための排気経路に設置されている。温度センサ１２は、ランプ１の近傍に位置している。
【００３８】
ファン駆動部１３は、ファン１４を有し、制御部８からのファン駆動コマンドに従い、駆動回路（図示せず）によりファン１４を回転および停止させる。
ファン１４は、回転することにより空気の流れを起こすファン、およびファンを回転させるモータ（図示せず）などから構成されている。ファン１４は、プロジェクタの後方に設置され、矢印Ｂに示す空気の流れを起こすことにより、ランプ１の熱、および光学部２内部の熱をプロジェクタ外部に放出する。
ランプ駆動部１５は、電源部１６からの電力供給を受け、ランプ１を点灯させるために高電圧を発生して放電経路を形成するイグナイタ回路と、点灯後の安定した点灯状態を維持するためのバラスト回路（いずれも図示せず）とを含んで構成されている。
電源部１６は、外部電源３１からの交流電力をプラグから導き、内蔵するＡＣ／ＤＣ変換部（いずれも図示せず）にて変圧、整流および平滑するなどの処理を施すことにより安定化させた直流電圧をプロジェクタ１００の各部に供給する。
【００３９】
ＬＥＤ点灯部１７は、緑色のＬＥＤ１８および、赤色のＬＥＤ１９を有している。ＬＥＤ点灯部１７は、ＬＥＤ（Light Emitting Diode）の点灯回路であり、制御部８からのＬＥＤ点灯コマンドに従い、ＬＥＤ１８および、ＬＥＤ１９を点灯、点滅または消灯させる。ＬＥＤ１８および、ＬＥＤ１９は、視認し易い操作部４の近傍に設置されており、プロジェクタ１００の動作状態を点灯、点滅または消灯により知らしめる。
【００４０】
《ランプ近傍の温度特性》
図３は、プロジェクタのランプおよびランプ近傍の温度特性の一態様を示した図表である。ここでは、図３を中心に、適宜図１および図２を交えて、プロジェクタ１００のランプ１の温度およびランプ１近傍の温度変化特性について説明する。
図３の図表Ｄは、経過時間を横軸に、温度センサ１２としてのサーミスタが測定したランプ１近傍の温度を左側の縦軸に、熱源としてのランプ１自体の温度を右側の縦軸に捕っている。経過時間は、プロジェクタ１００により映像を投写した後、電源をオフしたタイミングを起点（経過時間０分）としている。
プロジェクタ１００は、映像を投写している動作中は、ファン１４を回転させ、ランプ１および光学部２が発する熱を放熱しているが、電源がオフされると、熱源であるランプ１を消灯するとともに、ファン１４も停止する。
【００４１】
ここで、ランプ１の温度はグラフＰで示されるように、電源オフを起点として下降し続けるのに対して、ファン１４の停止に伴い矢印Ｂに示す空気の流れも止まるため、温度センサ１２が設置された排気経路は、熱気が滞留した状態となり、ランプ近傍は一時的に温度が上昇する。これが、キックバック現象である。
温度センサ１２としてのサーミスタが測定したランプ１近傍の温度を示すグラフＱは、この状態を表しており、電源がオフされてから、約７分間の間は、キックバックによりランプ近傍では温度が上昇している。このように、ランプ１の温度（グラフＰ）と、ランプ１近傍の温度（グラフＱ）との間には、１対１の関係にはないが、温度変化を含めると相関関係がある。
【００４２】
ここで、ランプ１の電極の劣化を促す可能性があるため、ランプ１の点灯動作に適さない期間は、ランプ１の温度が、例えば３００℃以上となっている期間である。
他方、グラフＱで示されるランプ１近傍の温度は、この期間中キックバック現象により温度が上昇しているが、温度上昇の勾配は一定ではなく、時間の経過とともに次第に緩やかなものとなって行く。
よって、グラフＰおよびグラフＱに基づいて、ランプ１近傍の温度の上昇勾配の変化率から、ランプ１の温度が例えば３００℃以上であるのか未満であるのかを推定することが可能となる。具体的には、ランプ１近傍の温度変化を捕らえることができる所定の時間（例えば、３秒間）における温度変化量を求めて、ランプ１の温度の３００℃に対応するランプ１近傍の温度変化量である所定の温度量と比較すれば良い。
【００４３】
また、ランプ１の温度が再点灯可能な温度（例えば、３００℃）まで冷えた時点に対応する、ランプ１近傍の温度（以降、「点灯可能温度」という）は、矢印Ｙで示されるように、約７５℃である。さらに、グラフＰは、経過時間に対して温度が順次下がって行く特性となっている。
このことから、ランプ１近傍の温度が７５℃以上であるときには、経過時間からして既にランプ１の温度は再点灯可能な温度まで下がっているといえる。また、７５℃未満であっても、温度勾配が下がっているときには、対応するランプ１の温度は、さらに、低くなっている。
よって、ランプ１近傍の温度が点灯可能温度以上である場合、および、温度勾配が下がっている場合には、ランプ１の点灯動作を行っても、ランプ１の劣化を招く恐れはない。
【００４４】
また、ランプ１がさらに冷めた状態で、ランプ１近傍の温度勾配に関係なく、安全にランプ１の点灯を行うことができる状態を考える。例えば、この状態を、ランプ１が１００℃以下となっている状態とし、これに相対するランプ１近傍の温度（以降、「安全点灯温度」という）は、約５０℃である。
プロジェクタ１００は、これらの原理を利用して、ランプ１の点灯動作を制御しており、続いて、その具体例であるランプ１の点灯処理について説明する。
【００４５】
《第１のランプ点灯処理態様》
図４は、プロジェクタのランプ点灯処理の第１の態様を示したフローチャートである。ここでは、図４を主体に、図１と、図３を適宜交えながら、プロジェクタ１００によるランプ１の点灯処理の流れを説明する。
プロジェクタ１００は、電源オン操作をトリガとして、ランプ１を点灯し映像を投写するように設定されている。以下説明するランプ１の点灯処理の流れは、電源オン操作をトリガとして、制御部８が、記憶部９の起動プログラムに含まれる複数のランプ点灯処理プログラムのうち、第１のランプ点灯処理プログラムを実行することにより実現される。
【００４６】
ステップＳ１では、制御部８は、リモコン５による電源オン操作を受付けた操作受付け部１０からの操作信号により、プロジェクタ１００の電源をオンし、電源部１６から各部に電力を供給させる。
ステップＳ２では、制御部８は、電力供給を受けた各部に各回路の初期化を含む初期化動作を行わせる。さらに、ＬＥＤ点灯部１７には、起動中を示す緑色ＬＥＤ１８を点滅させるための点滅コマンドを送る。
ステップＳ３では、制御部８は、温度測定部１１により、ランプ１近傍の温度を第１の温度Ｔ１として測定させる。さらに、測定された第１の温度Ｔ１を、記憶部９に記憶させる。
ステップＳ４では、制御部８は、第１の温度Ｔ１が、記憶部９に記憶されている安全点灯温度以下であるか比較し、判断する。図３のグラフＱから、安全点灯温度は、５０℃と設定してある。第１の温度Ｔ１が、安全点灯温度以下である場合は、ステップＳ８へ進む。第１の温度Ｔ１が安全点灯温度を超えている場合は、ステップＳ５へ進む。
【００４７】
ステップＳ５では、制御部８は、内蔵する計時部によりランプ１近傍の温度変化を捕らえることができる所定の時間ｔが経過したかどうか判断する。ここでは、所定の時間ｔは３秒としている。所定の時間ｔが経過していない場合は、経過するまで待つ。所定の時間ｔが経過したら、ステップＳ６へ進む。
ステップＳ６では、制御部８は、温度測定部１１により、ランプ１近傍の温度を第２の温度Ｔ２として測定させる。さらに、測定された第２の温度Ｔ２を、記憶部９に記憶させる。
ステップＳ７では、制御部８は、記憶部９に記憶されている第１の温度、および第２の温度を読み出し、所定の時間ｔにおける温度変化を把握するための演算として、「第２の温度Ｔ２から、第１の温度Ｔ１を減算する」。さらに、演算結果が、記憶部９の所定の温度量Δｔ以下であるか比較する。
【００４８】
グラフＰおよびグラフＱから、ランプ１温度が再点灯可能な温度（例えば、３００℃）となったときの、ランプ１近傍の温度の所定時間ｔにおける温度変化量である温度量Δｔは、２℃と設定されている。
演算結果が、所定の温度量Δｔより大きかった場合、ランプ１の温度がまだ高いことから、ステップＳ９へ進む。
一方、演算結果が、所定の温度量Δｔ以下であり、ランプ１の温度が点灯可能な温度まで下がっている場合は、ステップＳ８へ進む。
【００４９】
ステップＳ８では、制御部８は、ランプ駆動部１５に、ランプ１を点灯させるための点灯指示としての点灯コマンドを発する。ランプ駆動部１５は、制御部８の指示に従い、内蔵するイグナイタ回路によりランプ１に高電圧を印加するなど、ランプ１の点灯動作を行う。さらに同期して、ファン駆動部１３にファン駆動コマンドを送り、ファンを回転させる。
また、制御部８は、ランプ１が点灯すると、ＬＥＤ点灯部１７に、動作中であることを知らしめるための、緑色ＬＥＤ１８を点滅から点灯に切り替える点灯コマンドを送る。もし、ランプ１が故障などにより点灯不能である場合は、緑色ＬＥＤ１８を消灯させ、異常を表す、赤色ＬＥＤ１９を点滅させるコマンドを発する。
【００５０】
続いて、ステップＳ４で、第１の温度Ｔ１が、安全点灯温度以下であった場合について説明する。第１の温度Ｔ１が、安全点灯温度以下であった場合、ランプ１は十分に冷えており、点灯動作を行っても劣化を招く恐れがないことから、ステップＳ８のランプ点灯動作に進む。
続いて、ステップＳ７で、演算結果が、温度変化量Δｔより大きかった場合について説明する。この場合、ランプ１の温度が高いことから、ランプ１を冷却するためにステップＳ９へ進む。
ステップＳ９では、制御部８は、ファン駆動部１３にファン駆動コマンドを送り、ファン１４を回転させる。
ステップＳ１０では、制御部８は、内蔵する計時部によりランプ１を冷却するための冷却時間が経過したかどうか確認し、判断する。プロジェクタ１００の場合、冷却時間は、約３０秒である。冷却時間が経過していない場合は、経過するまで待つ。
冷却時間が経過し、ランプ１の冷却が終了した場合、ステップＳ８のランプ点灯動作に進む。
【００５１】
なお、当該フローチャートでは、ステップ９およびステップ１０におけるランプ１の冷却が終了すると、ステップＳ８のランプ点灯動作に進む流れとなっているが、例えば、ステップ１０の終了後、ステップ３に戻り、再度、第１の温度Ｔ１を測定する処理から始めることとしても良い。
【００５２】
上述した通り、本実施形態によれば以下の効果が得られる。
（１）制御部８は、ランプ１を点灯させるための操作を受付けると、第１の温度Ｔ１を測定させ、ランプ１近傍の温度変化を捕らえることができる所定の時間ｔが経過した後に、第２の温度Ｔ２を測定させ、第１の温度Ｔ１および第２の温度Ｔ２を用いて所定の時間ｔにおける温度変化量を求めるための演算を行い、算出された温度変化量が、記憶部９の所定の温度量Δｔ以下であった場合、ランプを点灯させるための指示を発することから、プロジェクタ１００は、ランプ１の消灯後の時間経過に伴い推移するランプ１の温度が、ランプ１を劣化させることなく点灯させることが可能な温度以下であることを、ランプ１の温度と相対関係を持つランプ１近傍の温度の変化状況から判別し、ランプ１を点灯させる。
【００５３】
さらに、ランプ１の温度とランプ１近傍の温度との相対関係を踏まえて、測定時間の異なる二点の温度を基に、ランプの温度状況を的確に把握する。
よって、不正確なランプ１の温度把握により、実際はランプ１の温度が高いにも係らず、ランプ１の劣化を招く点灯動作を行ってしまうことはない。
従って、ランプ１を劣化させることなくランプ１を確実に再点灯することができるプロジェクタ１００を提供することができる。
【００５４】
（２）制御部８は、算出された温度変化量Δｔが、記憶部９の所定の温度量を超えていた場合、ランプ１を冷却するための冷却時間が経過した後に、ランプ１を点灯させるための指示を発することから、プロジェクタ１００は、ランプ１の温度が、ランプ１を劣化させることなく点灯させることが可能な温度より高いと判断すると、ランプ１を冷却してからランプ１の点灯指示を出す。
よって、ランプ１の温度が高い状態で、ランプ１の劣化を招く点灯動作を行ってしまうことはない。
従って、ランプ１を劣化させることなくランプ１を確実に再点灯することができるプロジェクタ１００を提供することができる。
【００５５】
（３）制御部８は、測定した第１の温度Ｔ１が、記憶部９の安全点灯温度以下であった場合、第２の温度Ｔ２を測定せずに、ランプ１を点灯させるための指示を発することから、プロジェクタ１００は、ランプ１が冷めており、支障なく点灯できる温度であると確認されると、速やかにランプの点灯指示を発する。
従って、ランプ１を速やか、かつ、確実に再点灯することができるプロジェクタ１００を提供することができる。
【００５６】
（４）第１の温度Ｔ１および第２の温度Ｔ２を用いて、所定の時間ｔにおける温度変化量を把握するための演算は、第２の温度Ｔ２から第１の温度Ｔ１を減算することにより行われることから、プロジェクタ１００は、第２の温度Ｔ２から第１の温度Ｔ１を減算するという簡便な方法により、ランプ１の温度と相対関係を持つランプ１近傍の温度の変化状況を示す温度変化量Δｔを求めることができる。
よって、簡便な方法により、ランプ１の温度状況を正確に把握することができる。
【００５７】
（５）制御部８は、冷却時間においてファン駆動部１３にファン１４を駆動させる指示を発することから、ファン１４は、冷却時間中に作動する。
よって、ファン１４が起こす空気の流れによりランプ１を効率良く冷却することから、ランプ１の温度が高い状態で、ランプ１の劣化を招く点灯動作を行ってしまうことはない。
従って、ランプ１を劣化させることなくランプ１を素早く再点灯することができるプロジェクタ１００を提供することができる。
【００５８】
（６）制御部８は、ＬＥＤ点灯部１７により、プロジェクタ１００の起動中は緑色ＬＥＤ１８を点滅させ、動作中は、緑色ＬＥＤ１８を点灯させる。また、ランプ１の故障による点灯不能などの異常が発生したときには、赤色ＬＥＤ１９を点滅させる。
従って、ランプ１の点灯状態を含む動作状態を視覚により知らしめることができるプロジェクタ１００を提供することができる。
【００５９】
（実施形態２）
《第２のランプ点灯処理態様》
図５は、プロジェクタのランプ点灯処理の第２の態様を示したフローチャートである。プロジェクタ１００は、実施形態１での説明と同様の構成を有している。
ここでは、記憶部９に記憶されている複数のランプ点灯処理プログラムのうち、実施形態１で説明した第１のランプ点灯処理プログラムと異なる、第２のランプ点灯処理プログラムについて説明する。
以下、図５を主体に、図１と、図３を適宜交えながら、プロジェクタ１００によるランプ１の点灯処理の流れを説明する。
【００６０】
ステップＳ１１では、制御部８は、リモコン５による電源オン操作を受付けた操作受付け部１０からの操作信号により、プロジェクタ１００の電源をオンし、電源部１６から各部に電力を供給させる。
ステップＳ１２では、制御部８は、電力供給を受けた各部に各回路の初期化を含む初期化動作を行わせる。さらに、ＬＥＤ点灯部１７には、起動中を示す緑色ＬＥＤ１８を点滅させるための点滅コマンドを送る。
ステップＳ１３では、制御部８は、温度測定部１１により、ランプ１近傍の温度を第１の温度Ｕ１として測定させる。さらに、測定された第１の温度Ｕ１を、記憶部９に記憶させる。
ステップＳ１４では、制御部８は、第１の温度Ｕ１が、記憶部９に記憶されている安全点灯温度以下であるか比較し、判断する。ここで安全点灯温度は、５０℃と設定されている。第１の温度Ｕ１が、安全点灯温度以下である場合は、ステップＳ１９へ進む。第１の温度Ｕ１が安全点灯温度を超えている場合は、ステップＳ１５へ進む。
【００６１】
ステップＳ１５では、制御部８は、第１の温度Ｕ１が、記憶部９に記憶されている点灯可能温度以上であるか比較し、判断する。ここで点灯可能温度は、７５℃と設定されている。第１の温度Ｕ１が、点灯可能温度以上である場合は、ステップＳ１９へ進む。第１の温度Ｕ１が点灯可能温度未満である場合は、ステップＳ１６へ進む。
ステップＳ１６では、制御部８は、内蔵する計時部によりランプ１近傍の温度変化を捕らえることができる所定の時間ｔが経過したかどうか判断する。所定の時間ｔは、３秒としてある。所定の時間ｔが経過していない場合は、経過するまで待つ。所定の時間ｔが経過したら、ステップＳ１７へ進む。
ステップＳ１７では、制御部８は、温度測定部１１により、ランプ１近傍の温度を第２の温度Ｕ２として測定させる。さらに、測定された第２の温度Ｕ２を、記憶部９に記憶させる。
【００６２】
ステップＳ１８では、制御部８は、記憶部９に記憶されている第１の温度Ｕ１、および第２の温度Ｕ２を読み出し、第２の温度Ｕ２が、第１の温度Ｕ１より低いかどうか比較する。第２の温度Ｕ２が、第１の温度Ｕ１以上であった場合、ステップＳ２０へ進む。第２の温度Ｕ２が、第１の温度Ｕ１より低い場合は、ステップＳ１９へ進む。
ステップＳ１９では、制御部８は、ランプ駆動部１５に、ランプ１を点灯させるための点灯指示としての点灯コマンドを発する。ランプ駆動部１５は、制御部８の指示に従い、内蔵するイグナイタ回路によりランプ１に高電圧を印加するなど、ランプ１の点灯動作を行う。さらに同期して、ファン駆動部１３にファン駆動コマンドを送り、ファン１４を回転させる。
また、制御部８は、ランプ１が点灯すると、ＬＥＤ点灯部１７に、動作中であることを知らしめるための、緑色ＬＥＤ１８を点滅から点灯に切り替える点灯コマンドを送る。もし、ランプ１が故障などにより点灯不能である場合は、緑色ＬＥＤ１８を消灯させ、異常を表す、赤色ＬＥＤ１９を点滅させるコマンドを発する。
【００６３】
続いて、ステップＳ１８で、第２の温度Ｕ２が、第１の温度Ｕ１以上であった場合について説明する。この場合、ランプ１の温度が高いことから、ランプ１を冷却するためにステップＳ２０へ進む。
ステップＳ２０では、制御部８は、ファン駆動部１３にファン駆動コマンドを送り、ファン１４を回転させる。
ステップＳ２１では、制御部８は、内蔵する計時部によりランプ１を冷却するための冷却時間が経過したかどうか確認し、判断する。プロジェクタ１００の場合、冷却時間は、約３０秒である。冷却時間が経過していない場合は、経過するまで待つ。
冷却時間が経過し、ランプ１の冷却が終了した場合、ステップＳ１９のランプ点灯動作に進む。
【００６４】
なお、当該フローチャートでは、ステップ２０およびステップ２１におけるランプ１の冷却が終了すると、ステップＳ１９のランプ点灯動作に進む流れとなっているが、例えば、ステップ２１の終了後、ステップ１３に戻り、再度、第１の温度Ｕ１を測定する処理から始めることとしても良い。
【００６５】
上述した通り、本実施形態によれば以下の効果が得られる。
（１）制御部８は、操作受付け部１０がランプ１を点灯させるための操作を受付けると、温度センサ１２によりランプ１近傍の温度を第１の温度Ｕ１として測定させ、第１の温度Ｕ１が、記憶部９の点灯可能温度以上であった場合、ランプ１を点灯させるための指示を発することから、プロジェクタ１００は、ランプ１の温度と相関関係があるランプ１近傍の温度における点灯可能温を確認することにより、ランプ１の温度がランプ１を劣化させることなく点灯させることが可能な温度となっていることを判別して、ランプ１を点灯する。
従って、ランプ１を劣化させることなくランプ１を確実に再点灯することができるプロジェクタ１００を提供することができる。
【００６６】
（２）制御部８は、第１の温度Ｕ１が、記憶部９の点灯可能温度より低かった場合、ランプ１近傍の温度変化を捕らえることができる所定の時間ｔが経過した後に、温度センサ１２によりランプ１近傍の温度を第２の温度Ｕ２として測定させ、第２の温度Ｕ２が、第１の温度Ｕ１より低いときに、ランプ１を点灯させるための指示を発することから、プロジェクタ１００は、ランプ１の温度と相関関係があるランプ１近傍の温度における温度変化状況を確認することにより、ランプ１温度がランプ１を劣化させることなく点灯させることが可能な温度となっていることを判別して、ランプ１を点灯する。
さらに、ランプ１の温度とランプ１近傍の温度との相対関係を踏まえて、測定時間の異なる二点の温度を基に、ランプ１の温度状況を的確に把握する。
よって、不正確なランプ１近傍の温度把握により、実際はランプ１の温度が高いにも係らず、ランプ１の劣化を招く点灯動作を行ってしまうことはない。
【００６７】
（３）制御部８は、第２の温度Ｕ２が、第１の温度Ｕ１以上であった場合、ランプ１を冷却するための冷却時間が経過した後に、ランプ１を点灯させるための指示を発することから、プロジェクタ１００は、ランプ１の温度が、ランプ１を劣化させることなく点灯させることが可能な温度より高いと判断すると、ランプ１を冷却してからランプ１の点灯指示を出す。
よって、ランプ１の温度が高い状態で、ランプ１の劣化を招く点灯動作を行ってしまうことはない。
従って、ランプ１を劣化させることなくランプ１を確実に再点灯することができるプロジェクタ１００を提供することができる。
【００６８】
なお、本発明は上述した実施形態に限定されず、上述した実施形態に種々の変更や改良などを加えることが可能である。変形例を以下に述べる。
【００６９】
（変形例）
図１を用いて説明する。前記実施形態において、プロジェクタ１００は、光変調素子として３枚の液晶ライトバルブ３Ｒ，３Ｇ，３Ｂを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。
これらの構成であっても、光源に放電式のランプを用いていれば、前記実施形態と同様の作用効果を得ることができる。
【００７０】
前記各実施形態および変形例から把握できる技術的思想について、以下にその効果とともに記載する。
【００７１】
映像を投写するプロジェクタであって、投写映像の光源としてのランプと、前記ランプ近傍の温度を検出する温度センサと、前記ランプの消灯後の時間経過に伴い推移するランプ温度が、前記ランプを劣化させることなく点灯させることが可能な温度と比べて高いか低いかを、前記ランプ温度と相対関係を持つ前記ランプ近傍の温度の変化状況から判別するための指標としての所定の温度量を記憶する記憶部と、前記ランプを点灯させるための操作を受付ける操作受付け部と、前記ランプを点灯させるための指示を発する制御部と、を備え、前記制御部は、前記操作受付け部がランプを点灯させるための操作を受付けると、前記温度センサにより前記ランプ近傍の温度を第１の温度として測定させ、前記ランプ近傍の温度変化を捕らえることができる所定の時間が経過した後に、前記ランプ近傍の温度を第２の温度として再度測定させ、前記第１の温度および第２の温度を用いて、前記所定の時間における温度変化量を求めるための演算を行い、算出された温度変化量が、前記記憶部の所定の温度量以下であった場合、前記ランプを点灯させるための指示を発することを特徴とするプロジェクタ。
【００７２】
この構成によれば、制御部は、ランプを点灯させるための操作を受付けると、第１の温度を測定させ、ランプ近傍の温度変化を捕らえることができる所定の時間が経過した後に、第２の温度を測定させ、第１の温度および第２の温度を用いて所定の時間における温度変化量を求めるための演算を行い、算出された温度変化量が、記憶部の所定の温度量以下であった場合、ランプを点灯させるための指示を発することから、プロジェクタは、ランプの消灯後の時間経過に伴い推移するランプ温度が、ランプを劣化させることなく点灯させることが可能な温度以下であることを、ランプ温度と相対関係を持つランプ近傍の温度の変化状況から判別し、ランプを点灯させる。
さらに、電源オン操作時の一点のみにおける測定によりランプの温度を把握していた従来のプロジェクタと異なり、本発明のプロジェクタは、ランプ温度とランプ近傍の温度との相対関係を踏まえて、測定時間の異なる二点の温度を基に、ランプの温度状況を的確に把握する。
よって、不正確なランプ近傍の温度把握により、実際はランプ温度が高いにも係らず、ランプの劣化を招く点灯動作を行ってしまうことはない。
従って、ランプを劣化させることなくランプを確実に再点灯することができるプロジェクタを提供することができる。
【００７３】
映像を投写するプロジェクタであって、投写映像の光源としてのランプと、前記ランプ近傍の温度を検出する温度センサと、前記ランプの消灯後の時間経過に伴い推移するランプ温度において、前記ランプを劣化させることなく点灯させることが可能な温度に対応する、前記ランプ温度と相対関係を持つ前記ランプ近傍の温度における点灯可能温度を記憶する記憶部と、前記ランプを点灯させるための操作を受付ける操作受付け部と、前記ランプを点灯させるための指示を発する制御部と、を備え、前記制御部は、前記操作受付け部がランプを点灯させるための操作を受付けると、前記温度センサにより前記ランプ近傍の温度を第１の温度として測定させ、前記第１の温度が、前記記憶部の点灯可能温度以上であった場合、前記ランプを点灯させるための指示を発することを特徴とするプロジェクタ。
【００７４】
この構成によれば、制御部は、操作受付け部がランプを点灯させるための操作を受付けると、温度センサによりランプ近傍の温度を第１の温度として測定させ、第１の温度が、記憶部の点灯可能温度以上であった場合、ランプを点灯させるための指示を発することから、プロジェクタは、ランプ温度と相関関係があるランプ近傍の温度における点灯可能温を確認することにより、ランプ温度がランプを劣化させることなく点灯させることが可能な温度となっていることを判別して、ランプを点灯する。
従って、ランプを劣化させることなくランプを確実に再点灯することができるプロジェクタを提供することができる。
【図面の簡単な説明】
【００７５】
【図１】一実施形態におけるプロジェクタの概略構成図。
【図２】ランプおよび光学部近傍の概略構造図。
【図３】ランプおよびランプ近傍の温度特性を示すグラフ。
【図４】第１のランプ点灯処理のフローチャート。
【図５】第２のランプ点灯処理のフローチャート。
【符号の説明】
【００７６】
１…光源としてのランプ、２…光学部、３Ｒ，３Ｇ，３Ｂ…液晶ライトバルブ、４…操作部、６…映像信号処理部、８…制御部、９…記憶部、１０…操作受付け部、１１…温度測定部、１２…温度センサ、１３…ファン駆動部、１４…ファン、１５…ランプ駆動部、Ｔ１，Ｕ１…第１の温度、Ｔ２，Ｕ２…第２の温度、ｔ…所定の時間、Δｔ…所定の時間における所定の温度量、ＳＣ…スクリーン。
【図１】
2006235441.tif 000003
【図２】
2006235441.tif 000004
【図３】
2006235441.tif 000005
【図４】
2006235441.tif 000006
【図５】
2006235441.tif 000007